(57)【要約】【課題】ベッドおよび椅子に用いる台座を提供する。【解決手段】ベッドおよび椅子に用いる台座は、固定座、揺れ座、駆動装置および旋転座を備える。揺れ座は固定座の上方に装着され、固定座に対して往復移動および傾斜できる。駆動装置は固定座と揺れ座との間に装着され、固定座に対して揺れ座を往復移動および傾斜させることができる。旋転座は揺れ座の上方に装着され、揺れ座に対して旋転できる。上述により、ベッドおよび椅子に用いる台座は人間工学にふさわしいスウィング機能を果たし、構造を安定させ、使用寿命を伸ばし、異常な音の発生を抑制することができるだけでなく、スウィング方向を任意調整し、使用者に心または身体の疲労感を与えず、多様かつ柔軟性的な使い心地を体験させることができる。【選択図】  図２
2019146887.tif 000002
【特許請求の範囲】
【請求項１】
固定座、揺れ座、駆動装置および旋転座を備え、
前記揺れ座は、前記固定座の上方に装着され、前記固定座に対して往復移動および傾斜でき、
前記駆動装置は、前記固定座と揺れ座との間に装着され、前記固定座に対して前記揺れ座を往復移動および傾斜させることができ、
前記旋転座は、前記揺れ座の上方に装着され、前記揺れ座に対して旋転できる  ことを特徴とするベッドおよび椅子に用いる台座。
【請求項２】
前記揺れ座は軸受け部を有し、前記旋転座は前記軸受け部と嵌り合う嵌合部を有することを特徴とする請求項１に記載のベッドおよび椅子に用いる台座。
【請求項３】
さらにアクチュエーターを備え、
前記アクチュエーターは、一端が前記揺れ座に接続され、他端が前記旋転座に接続されることを特徴とする請求項１に記載のベッドおよび椅子に用いる台座。
【請求項４】
前記旋転座は当接部を有し、前記揺れ座は少なくとも一つの可動当接部材を有し、前記当接部は前記可動当接部材に接触することによって前記旋転座を前記揺れ座に対して旋転させることを特徴とする請求項１に記載のベッドおよび椅子に用いる台座。
【請求項５】
前記揺れ座は当接部を有し、前記旋転座は少なくとも一つの可動当接部材を有し、前記当接部は前記可動当接部材に接触することによって前記旋転座を前記揺れ座に対して旋転させることを特徴とする請求項１に記載のベッドおよび椅子に用いる台座。
【請求項６】
前記固定座は、底部および複数のローラー機構を有し、複数の前記ローラー機構は前記底部の上方に配置され、前記揺れ座は荷重受け部および円弧状レールを有し、前記円弧状レールは前記ローラー機構に接触するように前記荷重受け部の下方に装着されることを特徴とする請求項１に記載のベッドおよび椅子に用いる台座。
【請求項７】
前記ローラー機構は、少なくとも二つの下方ローラーおよび一つの上方ローラーを有し、二つの前記下方ローラーは前記揺れ座の前記円弧状レールの下方に位置付けられ、前記上方ローラーは前記揺れ座の前記円弧状レールの上方かつ二つの前記下方ローラーの間に位置付けられることを特徴とする請求項６に記載のベッドおよび椅子に用いる台座。
【請求項８】
前記固定座は、前記底部から上へ伸びて形成された二つの支持アームを有し、前記上方ローラーは二つの前記支持アームの間に配置され、前記揺れ座の前記円弧状レールは二つの前記支持アームの間を貫通することを特徴とする請求項７に記載のベッドおよび椅子に用いる台座。
【請求項９】
前記駆動装置は、動力源、レバーおよび連結棒を有し、前記動力源は前記固定座に配置され、出力軸を有し、前記レバーは一端が前記出力軸に連結され、前記連結棒は一端が前記レバーに連結され、他端が前記揺れ座に連結されることを特徴とする請求項１に記載のベッドおよび椅子に用いる台座。
【請求項１０】
前記固定座は、底部および円弧状レールを有し、前記円弧状レールは前記底部の上方に配置され、前記揺れ座は荷重受け部および複数のローラー機構を有し、複数の前記ローラー機構は前記円弧状レールに接触するように前記荷重受け部の下方に装着されることを特徴とする請求項１に記載のベッドおよび椅子に用いる台座。
【請求項１１】
前記ローラー機構は、少なくとも二つの上方ローラーおよび一つの下方ローラーを有し、二つの前記上方ローラーは前記固定座の前記円弧状レールの上方に位置付けられ、前記下方ローラーは前記固定座の前記円弧状レールの下方かつ二つの前記上方ローラーの間に位置付けられることを特徴とする請求項１０に記載のベッドおよび椅子に用いる台座。
【請求項１２】
前記旋転座は設置されないことを特徴とする請求項１に記載のベッドおよび椅子に用いる台座。
【発明の詳細な説明】
【技術分野】
【０００１】
本発明は、家具に関し、詳しくはベッドおよび椅子に用いられ、方向が異なるスウィングする機能を果たす台座に関するものである。
【背景技術】
【０００２】
一般のベッドフレームまたは椅子は固定式である。人間の生活レベルの向上に伴って快適でリラックス効果がある使い心地がより一層求められることに対し、様々なスウィング機能を有するベッドおよび椅子が業者によって絶えず開発されている。スウィング機能を有するベッドおよび椅子を製作する際、まず様々な技術への挑戦に臨むことになる。例えば、載せる人の体重に耐えるものとして考えれば、スウィング構造は固定構造より複雑であり、構造強度が比較的弱い。それに対し、使用寿命問題を克服し、それぞれの部品が作動して異常な音を発することを抑制することが必要である。一方、設計の重点となるスウィング方式が人間工学にふさわしくなければ、使用者が目まいを起こすか、気分が悪くなってしまう。従来の構造の場合、スウィング機能は単一方向であるため、長時間にわたって使用されると、使用者に心身の疲労を感じさせる。
【発明の概要】
【発明が解決しようとする課題】
【０００３】
本発明は、スウィング機能が人間工学にふさわしく、使い心地が快適でリラックスできるベッドおよび椅子に用いる台座を提供することを主な目的とする。
【０００４】
本発明は、構造が丈夫で使用寿命が長く、異常な音の発生を抑制できるベッドおよび椅子に用いる台座を提供することをもう一つの目的とする。
【０００５】
本発明は、スウィング方向を任意調整し、使用者に心または身体の疲労感を与えず、多様かつ柔軟的な使い心地を体験させることができるベッドおよび椅子に用いる台座を提供することをもう一つの目的とする。
【課題を解決するための手段】
【０００６】
上述した課題を解決するため、ベッドおよび椅子に用いる台座は、固定座、揺れ座、駆動装置および旋転座を備える。揺れ座は固定座の上方に装着され、固定座に対して往復移動および傾斜できる。駆動装置は固定座と揺れ座との間に装着され、固定座に対して揺れ座を往復移動および傾斜させることができる。旋転座は揺れ座の上方に装着され、揺れ座に対して旋転できる。上述した特徴により、ベッドおよび椅子に用いる台座は人間工学にふさわしいスウィング機能を果たし、構造を安定させ、使用寿命を伸ばし、異常な音の発生を抑制することができるだけでなく、スウィング方向を任意調整し、使用者に心または身体の疲労感を与えず、多様かつ柔軟性的な使い心地を体験させることができる。
【図面の簡単な説明】
【０００７】
【図１】本発明の第1実施形態によるベッドおよび椅子に用いる台座を正面から見た斜視図である。
【図２】本発明の第1実施形態によるベッドおよび椅子に用いる台座を底面から見た斜視図である。
【図３】本発明の第1実施形態によるベッドおよび椅子に用いる台座を正面から見た分解斜視図である。
【図４】本発明の第1実施形態によるベッドおよび椅子に用いる台座を底面から見た分解斜視図である。
【図５】本発明の第1実施形態によるベッドおよび椅子に用いる台座を示す側面図である。
【図６】本発明の第1実施形態によるベッドおよび椅子に用いる台座の作動状態を示す側面図である。
【図７】本発明の第1実施形態によるベッドおよび椅子に用いる台座の作動状態を示す側面図である。
【図８】本発明の第1実施形態によるベッドおよび椅子に用いる台座を示す平面図である。
【図９】本発明の第1実施形態によるベッドおよび椅子に用いる台座の作動状態を示す平面図である。
【図１０】本発明の第２実施形態によるベッドおよび椅子に用いる台座を示す斜視図である。
【図１１】本発明の第３実施形態によるベッドおよび椅子に用いる台座を示す斜視図である。
【図１２】本発明の第３実施形態によるベッドおよび椅子に用いる台座の作動状態を示す側面図である。
【発明を実施するための形態】
【０００８】
以下、本発明によるベッドおよび椅子に用いる台座を図面に基づいて説明する。
（第1実施形態）
図１から図４に示すように、本発明の第1実施形態によるベッドおよび椅子に用いる台座１は、固定座１０、揺れ座２０、駆動装置３０、旋転座４０およびアクチュエーター５０を備える。
【０００９】
固定座１０は、底部１１および複数のローラー機構１４を有する。底部１１は地面に着地する矩形フレームから構成され、底部１１から上に伸びて形成された四つの支持アーム１２を有する。四つの支持アーム１２は一対二つずつ底部１１に装着される。複数のローラー機構１４は底部１１の上方に回転可能なように装着され、かつ相互に平行して二列に配列される。二列のローラー機構１４はそれぞれ二つの下方ローラー１５および一つの上方ローラー１６を有する。上方ローラー１６は一対の支持アーム１２の間に装着され、位置が下方ローラー１５より高い。二列のローラー機構１４の上方ローラー１６はそれぞれ二つの下方ローラー１５の間に位置付けられる。底部１１の形と、ローラー機構１４の数、配列および装着方式は本実施形態に限定されず、別の実施形態において変更されてもよい。
【００１０】
揺れ座２０は、固定座１０の上方に装着され、固定座１０に対して往復移動および傾斜できる。揺れ座２０は荷重受け部２２、軸受け部２３および二つの円弧状レール２４を有する。荷重受け部２２は正方形のフレームからなる。軸受け部２３は荷重受け部２２の中央に位置付けられる。二つの円弧状レール２４はローラー機構１４に接触するように荷重受け部２２の両側の下方に装着され、形が下に突出した円弧状を呈する。円弧状レール２４の横断面は外形が円形を呈し、ローラー機構１４との間が線接触である。二つの円弧状レール２４はそれぞれ一対二つの支持アーム１２の間を貫通することによって揺れ座２０と固定座１０とを結合させてより一層安定させ、かつそれらの逸脱を抑制する。図６および図７に示すように、固定座１０に対して往復移動および傾斜できる揺れ座２０の移動軌道はまるで揺れ座２０の上方に形成された振り子運動軌道に揺れ座２０を吊り紐で固定するようであるため、構造を安定させ、異常な音の発生を抑制することができる。揺れ座２０の荷重受け部２２は四つの旋転座４０に当接する可動当接部材２６を有する。本実施形態において可動当接部材２６はユニバーサルボールジョイントである。別の実施形態において、揺れ座２０は上述に限定されず、構造が変わってもよい。固定座１０に対して揺れ座２０を往復移動および傾斜させることさえできればよい。
【００１１】
駆動装置３０は、固定座１０と揺れ座２０との間に装着され、固定座１０に対して揺れ座２０を往復移動および傾斜させることができる。駆動装置３０は設計方式が様々である。本実施形態において、駆動装置３０は動力源３２、レバー３６および連結棒３８を有する。動力源３２は固定座１０に配置され、モーター３４および減速ギア３５から構成され、出力軸３３を有する。レバー３６は一端が出力軸３３に連結される。連結棒３８は一端がレバー３６に連結され、他端が揺れ座２０に連結される。図５から図7に示すように、モーター３４が出力軸３３を回転させる際、レバー３６および連結棒３８は固定座１０に対して揺れ座２０を往復移動および傾斜させることができる。本実施形態において、駆動装置３０は構造の信頼度が高いため、作動に伴って生じた騒音を低減できる。
【００１２】
旋転座４０は、揺れ座２０の上方に装着され、揺れ座２０に対して旋転できる。本実施形態において、旋転座４０は正方形のフレームからなり、中央に揺れ座２０の軸受け部２３と嵌り合う嵌合部４２を有する。旋転座４０は嵌合部４２を軸に揺れ座２０に対して旋転することができる。嵌合部４２は側辺から伸びて形成された延長部４３を有する。延長部４３は末端部がアクチュエーター５０の一端に接続される。アクチュエーター５０は他端が揺れ座２０の荷重受け部２２に接続される。本実施形態において、アクチュエーター５０はシリンダー５２および伸縮ロッド５４を有する電動シリンダーである。シリンダー５２は揺れ座２０の荷重受け部２２に配置される。伸縮ロッド５４は嵌合部４２の延長部４３に配置され、シリンダー５２に突出したり、入り込んだりすることによってアクチュエーター５０の長さを変える。旋転座４０はリング状の当接部４４を有する。旋転座４０は当接部４４が可動当接部材２６に接触することによって揺れ座２０に対して旋転することができる。図８および図９に示すように、アクチュエーター５０が伸びる際、旋転座４０は駆動され、揺れ座２０に対して９０度旋転できる。別の実施形態において、旋転座４０と揺れ座２０との結合構造は上述に限定されず、変わってもよい。揺れ座２０に対して旋転座４０を旋転させることさえできればよい。旋転座４０は上述に限定されず、円形プレートから構成されてもよい。それに対し、当接部４４は円形プレートの底面に位置付けられる。アクチュエーター５０は接続位置が本実施形態に限定されず、両端を揺れ座２０および旋転座４０に別々に接続することさえできればよい。
【００１３】
ベッドおよび椅子に用いる台座１（即ちベッドまたは椅子が旋転座４０に固定してある台座１）を使用する場合、駆動装置３０はベッドまたは椅子を前後または左右方向にスウィングさせる。このようなスウィング運動はハンモックまたは振り子運動のようであり、人間工学にふさわしく、もっともリラックスできる運動である。それぞれの部材の間には相対的な移動を行わず、相対的な旋転または転動などの作動しかないため、台座１の作動する際に生じた騒音が非常に小さい。アクチュエーター５０は揺れ座２０に対する旋転座４０の旋転角度を変え、ベッドまたは椅子のスウィング方向を任意調整する、例えば左右スウィング方式を前後または傾斜スウィング方式に切り替えることができるため、単一方向のスウィングが使用者に心または身体の疲労を与えることを避け、使用者の好みに合わせてスウィング方式を調整することができる。上述したとおり、本発明によるベッドおよび椅子に用いる台座１は多様かつ柔軟的な使用体験を提供するため、市場潜在力が極めて高い。
【００１４】
本発明の精神に基づいてベッドおよび椅子に用いる台座１の構造は上述に限定されず、変わってもよい。例えば、可動当接部材２６と当接部４４は位置が入れ替わってもよい。つまり可動当接部材２６は旋転座４０の底面に位置するのに対し、当接部４４は揺れ座２０の頂面に位置する。可動当接部材２６は環状軸受など別の軸受に変わってもよい。可動当接部材２６の数はニーズに応じて増減してもよい。可動当接部材２６が少なくとも一つでさえあればよい。
【００１５】
（第２実施形態）
図１０は本発明の第２実施形態によるベッドおよび椅子に用いる台座１ａを示す斜視図である。第１実施形態との違いは次の通りである。第２実施形態において、揺れ座２０ａは円弧状レール２４ａのみを有する。固定座１０ａは底部１１ａに円弧状レール２４ａに接触する一列のローラー機構１４ａのみを有する。ローラー機構１４ａは二つの下方ローラー１５ａおよび一つの上方ローラー１６ａを有する。円弧状レール２４ａの横断面は外形が矩形を呈し、ローラー機構１４ａとの間が線接触である。上述した特徴により、揺れ座２０ａと固定座１０ａとを結合させて安定させることができる。
【００１６】
（第３実施形態）
固定座および揺れ座の構造は様々な形態である。図１１は本発明の第３実施形態によるベッドおよび椅子に用いる台座１ｂを示す斜視図である。第１実施形態との違いは次の通りである。第３実施形態において、固定座１０ｂはローラー機構が配置されず、底部１１ｂの上方に二つの円弧状レール６０を有する。揺れ座２０ｂは円弧状レールが配置されず、荷重受け部２２ｂの下方に二つの円弧状レール６０に接触する二列のローラー機構６２を有する。二つのローラー機構６２はそれぞれ二つの上方ローラー６４および一つの下方ローラー６６を有する。二つの上方ローラー６４は円弧状レール６０の上方に位置付けられる。下方ローラー６６は円弧状レール６０の下方かつ二つの上方ローラー６４の間に位置付けられる。図１２に示すように、駆動装置３０ｂは固定座１０ｂに対して揺れ座２０ｂを往復移動および傾斜させることができる。
【００１７】
製作工程において、アクチュエーター５０は設置されなくてもよい。このとき使用者が旋転座４０および揺れ座２０の旋転角度を手動で調整すればよい。比較的シンプルな機種の場合、旋転座４０は設置されなくてもよい。使用者は組み立て作業を行う際に自ら揺れ座２０とベッドまたは椅子とを組み合わせる角度を調整すれば、好みに合わせてスウィング角度を設定することができる。
【００１８】
上述したとおり、本発明によるベッドおよび椅子に用いる台座は方向が異なるスウィングする機能を果たし、使用者に心または身体の疲労を感じさせることを避けるため、人間工学にふさわしいだけでなく、快適でリラックスできる使い心地を使用者に感じさせることができる。構造が安定し、使用寿命が長いため異常な音の発生を抑制し、使用者に多様かつ柔軟性的な使い心地を体験させる、即ち本発明の目的を達成することができる。
【符号の説明】
【００１９】
１、１ａ、１ｂ：ベッドおよび椅子に用いる台座、  
１０、１０ａ、１０ｂ：固定座、  
１１、１１ａ、１１ｂ：底部、  
１２：支持アーム、  
１４、１４ａ：ローラー機構、  
１５、１５ａ：下方ローラー、  
１６、１６ａ：上方ローラー、  
２０、２０ａ、２０ｂ：揺れ座、
２２、２２ｂ：荷重受け部、  
２３：軸受け部、  
２４：円弧状レール、  
２６：当接部材、  
３０、３０ｂ：駆動装置、  
３２：動力源、  
３３：出力軸、  
３４：モーター、  
３５：減速ギア、  
３６：レバー、  
３８：連結棒、  
４０：旋転座、  
４２：嵌合部、
４３：延長部、  
４４：当接部、  
５０：アクチュエーター、  
５２：シリンダー  
５４：伸縮ロッド、  
６０：円弧状レール、  
６２：ローラー、  
６４：上方ローラー機構、  
６６：下方ローラー
【図１】
2019146887.tif 000003
【図２】
2019146887.tif 000004
【図３】
2019146887.tif 000005
【図４】
2019146887.tif 000006
【図５】
2019146887.tif 000007
【図６】
2019146887.tif 000008
【図７】
2019146887.tif 000009
【図８】
2019146887.tif 000010
【図９】
2019146887.tif 000011
【図１０】
2019146887.tif 000012
【図１１】
2019146887.tif 000013
【図１２】
2019146887.tif 000014
【手続補正書】
【提出日】令和1年5月31日(2019.5.31)
【手続補正１】
【補正対象書類名】特許請求の範囲
【補正対象項目名】全文
【補正方法】変更
【補正の内容】
【特許請求の範囲】
【請求項１】
固定座、揺れ座、駆動装置および旋転座を備え、
前記揺れ座は、前記固定座の上方に装着され、前記固定座に対して往復移動および傾斜でき、
前記駆動装置は、前記固定座と揺れ座との間に装着され、前記固定座に対して前記揺れ座を往復移動および傾斜させることができ、
前記旋転座は、前記揺れ座の上方に装着され、前記揺れ座に対して旋転でき、
前記駆動装置は、動力源、レバーおよび連結棒を有し、前記動力源は前記固定座に配置され、出力軸を有し、前記レバーは一端が前記出力軸に連結され、前記連結棒は一端が前記レバーに連結され、他端が前記揺れ座に連結されることを特徴とするベッドおよび椅子に用いる台座。
【請求項２】
前記揺れ座は軸受け部を有し、前記旋転座は前記軸受け部と嵌り合う嵌合部を有することを特徴とする請求項１に記載のベッドおよび椅子に用いる台座。
【請求項３】
さらにアクチュエーターを備え、
前記アクチュエーターは、一端が前記揺れ座に接続され、他端が前記旋転座に接続されることを特徴とする請求項１に記載のベッドおよび椅子に用いる台座。
【請求項４】
前記旋転座は当接部を有し、前記揺れ座は少なくとも一つの可動当接部材を有し、前記当接部は前記可動当接部材に接触することによって前記旋転座を前記揺れ座に対して旋転させることを特徴とする請求項１に記載のベッドおよび椅子に用いる台座。
【請求項５】
前記揺れ座は当接部を有し、前記旋転座は少なくとも一つの可動当接部材を有し、前記当接部は前記可動当接部材に接触することによって前記旋転座を前記揺れ座に対して旋転させることを特徴とする請求項１に記載のベッドおよび椅子に用いる台座。
【請求項６】
前記固定座は、底部および複数のローラー機構を有し、複数の前記ローラー機構は前記底部の上方に配置され、前記揺れ座は荷重受け部および円弧状レールを有し、前記円弧状レールは前記ローラー機構に接触するように前記荷重受け部の下方に装着されることを特徴とする請求項１に記載のベッドおよび椅子に用いる台座。
【請求項７】
前記ローラー機構は、少なくとも二つの下方ローラーおよび一つの上方ローラーを有し、二つの前記下方ローラーは前記揺れ座の前記円弧状レールの下方に位置付けられ、前記上方ローラーは前記揺れ座の前記円弧状レールの上方かつ二つの前記下方ローラーの間に位置付けられることを特徴とする請求項６に記載のベッドおよび椅子に用いる台座。
【請求項８】
前記固定座は、前記底部から上へ伸びて形成された二つの支持アームを有し、前記上方ローラーは二つの前記支持アームの間に配置され、前記揺れ座の前記円弧状レールは二つの前記支持アームの間を貫通することを特徴とする請求項７に記載のベッドおよび椅子に用いる台座。
【請求項９】
前記固定座は、底部および円弧状レールを有し、前記円弧状レールは前記底部の上方に配置され、前記揺れ座は荷重受け部および複数のローラー機構を有し、複数の前記ローラー機構は前記円弧状レールに接触するように前記荷重受け部の下方に装着されることを特徴とする請求項１に記載のベッドおよび椅子に用いる台座。
【請求項１０】
前記ローラー機構は、少なくとも二つの上方ローラーおよび一つの下方ローラーを有し、二つの前記上方ローラーは前記固定座の前記円弧状レールの上方に位置付けられ、前記下方ローラーは前記固定座の前記円弧状レールの下方かつ二つの前記上方ローラーの間に位置付けられることを特徴とする請求項９に記載のベッドおよび椅子に用いる台座。
【請求項１１】
前記旋転座は設置されないことを特徴とする請求項１に記載のベッドおよび椅子に用いる台座。
【請求項１２】
前記揺れ座は前記固定座に対する移動軌道が振り子運動軌道であることを特徴とする請求項１に記載のベッドおよび椅子に用いる台座。